(57)【特許請求の範囲】
【請求項１】
印字面を有する用紙を繰り出し、プラテンローラとサーマルヘッドを有する印字部で、前記用紙の印字面に所定の印字を施し、枚葉状の用紙を発行するプリンタであって、
前記用紙の送り方向と直交する用紙の幅方向の略中心から両端部にかけて、用紙の送り方向を基準とした斜め方向に所定幅を有し連続的に延在する発色領域と非発色領域とを有する印字パターンを記憶する記憶手段と、
前記記憶手段に記憶された印字パターンを読み出し、前記印字部で印字することにより前記サーマルヘッドの清掃を行うサーマルヘッド清掃手段と、
前記用紙は、ロール状に巻回された台紙レスラベル用紙または台紙付きラベル用紙であって、前記用紙に対応する個体識別情報を記憶する媒体を備え、
前記プリンタは、前記媒体から非接触で前記個体識別情報を読み取る読取部を有し、
制御手段は、前記読取部で読み取られた個体識別情報が記憶部に記憶されていない場合、あるいは、記憶部に記憶されている個体識別情報と前記読取部で読み取られた個体識別情報とが異なっている場合、前記サーマルヘッド清掃手段を実行することを特徴とするプリンタ。
【請求項２】
前記制御手段は、前記発行された枚葉状の用紙の枚数が所定枚数以上、あるいは、前記印字部で印字されて繰り出された前記用紙の走行距離が所定の距離以上である場合、前記サーマルヘッド清掃手段を実行することを特徴とする請求項１に記載のプリンタ。
【請求項３】
前記プラテンローラを回転駆動する回転駆動手段を有し、
前記制御手段は、前記印字部で前記用紙の印字面に所定の印字を施す場合に前記回転駆動手段により前記プラテンローラを第１の回転速度で回転駆動させ、前記サーマルヘッド清掃手段で印字を行う場合に前記回転駆動手段により前記第１の回転速度よりも遅い第２の回転速度で前記プラテンローラを回転駆動させて前記印字を施す制御を行うことを特徴とする請求項１または請求項２に記載のプリンタ。
【請求項４】
印字面を有する用紙を繰り出し、プラテンローラとサーマルヘッドを有する印字部で、前記用紙の印字面に所定の印字を施し、枚葉状の用紙を発行するプリンタを制御するプログラムであって、
前記用紙の送り方向と直交する用紙の幅方向の略中心から両端部にかけて、用紙の送り方向を基準とした斜め方向に所定幅を有し連続的に延在する発色領域と非発色領域とを有する印字パターンを記憶手段に記憶する記憶ステップと、
前記記憶手段に記憶された印字パターンを読み出し、前記印字部で印字することにより前記サーマルヘッドの清掃を行うサーマルヘッド清掃ステップを有し、
前記用紙は、ロール状に巻回された台紙レスラベル用紙または台紙付きラベル用紙であって、前記用紙に対応する個体識別情報を記憶する媒体を備え、
前記プリンタは、前記媒体から非接触で前記個体識別情報を読み取る読取部を有し、
前記読取部で読み取られた個体識別情報が記憶部に記憶されていない場合、あるいは、記憶部に記憶されている個体識別情報と前記読取部で読み取られた個体識別情報とが異なっている場合、前記サーマルヘッド清掃ステップを実行することを特徴とするプリンタを制御するプログラム。
【請求項５】
前記印字部で前記用紙の印字面に所定の印字を施す場合に前記プラテンローラを第１の回転速度で回転駆動させ、前記サーマルヘッド清掃ステップで印字を行う場合に前記第１の回転速度よりも遅い第２の回転速度で前記プラテンローラを回転駆動させて前記印字を施す制御を行う制御ステップを有することを特徴とする請求項４に記載のプリンタを制御するプログラム。
【発明の詳細な説明】
【技術分野】
【０００１】
本発明は、プリンタ、プリンタを制御するプログラムに関する。
【背景技術】
【０００２】
一方面に印字面、他方面に粘着面を有する台紙レスラベル用紙がロール状に巻回されており、印字を行う際に、台紙レスラベル用紙を繰り出し、サーマルヘッドとプラテンローラからなる印字部により台紙レスラベル用紙に印字を行うラベルプリンタが知られている。
【０００３】
上述した台紙レスラベル用紙は、粘着面と印字面を接した状態でロール状に巻回されており、目視で確認し難い糊カスが印字面に僅かに付着している。また、一般的な台紙レスラベル用紙では、印字面に粘着面が付着しすぎないように、印字面の表面にシリコン等によりコーティングが施されている。
【０００４】
台紙レスラベル用紙を繰り出し、サーマルヘッドの発熱帯に電圧を印加して、台紙レスラベル用紙の発色材料を加熱して発色させることにより、台紙レスラベルに印字を施す際、印字面に付着している糊カス等がサーマルヘッドの発熱帯（発熱体）に付着する、シリコン等が溶融してサーマルヘッドの発熱帯（発熱体）に付着する、などの不具合により印字品質に悪影響を与える場合がある。
【０００５】
また、一般的なラベルプリンタでは、サーマルヘッドによる台紙レスラベル用紙への印字後、カッタにより台紙レスラベル用紙が所定の長さに断裁される。その際、台紙レスラベル用紙の粘着面の糊がカッタ刃により巻き上げられ、その糊が印字面の先端部（切断端面）に付着する場合がある。このような状態で、次の印字のために、台紙レスラベル用紙をバックフィードさせ、台紙レスラベル用紙の先端をサーマルヘッドの発熱帯まで移動させると、台紙レスラベル用紙の印字面の先端部に付着している糊カスなどが、サーマルヘッドに付着してしまう場合がある。
【０００６】
サーマルヘッドに付着した糊カスなどを除去する技術が知られている。例えば、特許文献１には、屈曲可能なフレキシブルチューブの一端に多孔質材からなる拭き取り芯が嵌着され、他端に把持軸が連結しており、拭き取り芯に清掃液を含浸可能なプリンタ用清掃具が記載されている。この場合、オペレータがプリンタ用清掃具を用いてサーマルヘッドの清掃を行うことで、印字不良の発生を未然に防止する。
【０００７】
特許文献２には、研磨体をサーマルヘッドの発熱部分に摺接させてサーマルヘッドの送り方向に移動させ、サーマルヘッドの汚れを清掃するクリーニング方法が記載されている。
【先行技術文献】
【特許文献】
【０００８】
【特許文献１】特開２０１２−１４８５１８号公報
【特許文献２】特開２００３−３２６７５１号公報
【発明の概要】
【発明が解決しようとする課題】
【０００９】
しかしながら、特許文献１に記載の清掃具に関して、オペレータがその清掃具を用いてサーマルヘッドの清掃箇所を適切に清掃しない、オペレータが清掃のタイミングを忘れてしまいサーマルヘッドを長期間清掃しない、などの要因により、印字不良の発生を無くすことができないという問題がある。
【００１０】
特許文献２に記載のサーマルヘッドのクリーニング方法では、台紙レスラベル用紙とクリーニング用の用紙を交換する手間を要する、研磨剤でサーマルヘッドを研磨するためヘッド寿命を短くしてしまう可能性がある、などの要因により、印字不良の発生を無くすことができないという問題がある。
【００１１】
本発明は、上述した問題に鑑みてなされたものであって、オペレータや清掃用具などに頼ることなく、簡単な構成で、サーマルヘッドを容易に清掃することができるプリンタを提供すること、プリンタを制御するプログラムを提供すること、などを目的とする。
【課題を解決するための手段】
【００１２】
このような目的を達成するために、本発明によるプリンタは、以下の構成を少なくとも具備するものである。
印字面を有する用紙を繰り出し、プラテンローラとサーマルヘッドを有する印字部で、前記用紙の印字面に所定の印字を施し、枚葉状の用紙を発行するプリンタであって、
前記用紙の送り方向（繰り出し方向）と直交する用紙の幅方向の略中心から両端部にかけて、用紙の送り方向（繰り出し方向）を基準とした斜め方向に所定幅を有し連続的に延在する発色領域と非発色領域とを有する印字パターンを記憶する記憶手段と、
前記記憶手段に記憶された印字パターンを読み出し、前記印字部で印字することにより前記サーマルヘッドの清掃を行うサーマルヘッド清掃手段と、
前記用紙は、ロール状に巻回された台紙レスラベル用紙または台紙付きラベル用紙であって、前記用紙に対応する個体識別情報を記憶する媒体を備え、
前記プリンタは、前記媒体から非接触で前記個体識別情報を読み取る読取部を有し、
制御手段は、前記読取部で読み取られた個体識別情報が記憶部に記憶されていない場合、あるいは、記憶部に記憶されている個体識別情報と前記読取部で読み取られた個体識別情報とが異なっている場合、前記サーマルヘッド清掃手段を実行することを特徴とする。
【００１３】
また、本発明のプリンタを制御するプログラムは、以下の構成を少なくとも具備するものである。
印字面を有する用紙を繰り出し、プラテンローラとサーマルヘッドを有する印字部で、前記用紙の印字面に所定の印字を施し、枚葉状の用紙を発行するプリンタを制御するプログラムであって、
前記用紙の送り方向と直交する用紙の幅方向の略中心から両端部にかけて、用紙の送り方向を基準とした斜め方向に所定幅を有し連続的に延在する発色領域と非発色領域とを有する印字パターンを記憶手段に記憶する記憶ステップと、
前記記憶手段に記憶された印字パターンを読み出し、前記印字部で印字することにより前記サーマルヘッドの清掃を行うサーマルヘッド清掃ステップを有し、
前記用紙は、ロール状に巻回された台紙レスラベル用紙または台紙付きラベル用紙であって、前記用紙に対応する個体識別情報を記憶する媒体を備え、
前記プリンタは、前記媒体から非接触で前記個体識別情報を読み取る読取部を有し、
前記読取部で読み取られた個体識別情報が記憶部に記憶されていない場合、あるいは、記憶部に記憶されている個体識別情報と前記読取部で読み取られた個体識別情報とが異なっている場合、前記サーマルヘッド清掃ステップを実行することを特徴とする。
【発明の効果】
【００１４】
本発明によれば、オペレータや清掃用具などに頼ることなく、簡単な構成で、サーマルヘッドを容易に清掃することができるプリンタを提供すること、プリンタを制御するプログラムを提供すること、などを目的とする。
【図面の簡単な説明】
【００１５】
【図１】本発明の実施形態に係るラベルプリンタ（プリンタ）の構成の一例を示す図。
【図２】本発明の実施形態に係るラベルプリンタの電気的な構成の一例を示す図。
【図３】本発明の実施形態に係るラベルプリンタのサーマルヘッド等を説明するための図、（ａ）はサーマルヘッドおよび台紙ラベル用紙の一例を示す側面図、（ｂ）はサーマルヘッドの一例を示す底面図。
【図４】ラベル用紙へ印字される清掃パターンの一例を示す図、（ａ）は第１具体例の清掃パターン、（ｂ）は第２具体例の清掃パターンの一例を示す図。
【図５】サーマルヘッドの清掃動作の一例を示す図。
【図６】本発明の実施形態に係るラベルプリンタの動作の一例を示すフローチャート。
【発明を実施するための形態】
【００１６】
本発明の実施形態に係るラベルプリンタ（プリンタ）を、図面を参照しながら説明する。
本発明の実施形態は図示の内容を含むが、これのみに限定されるものではない。なお、以後の各図の説明で、既に説明した部位と共通する部分は同一符号を付して重複説明を一部省略する。
【００１７】
図１は、本発明の実施形態に係るラベルプリンタ（プリンタ）の構成の一例を示す図である。尚、本発明の実施形態に係るラベルプリンタは、ラベルの貼付対象である商品を計量する計量器に接続されていても、計量器に接続されていなくともよい。また、被包装物を包装する包装装置で用いられるラベルプリンタであってもよい。
【００１８】
一方面に印字面、他方面に粘着層を有する台紙レスラベル用紙１をロール状に巻回されたラベルロール２が、本発明の実施形態に係るラベルプリンタに配置されている。本実施形態では、台紙レスラベル用紙（ライナーレスラベル用紙）は、感熱層（感熱紙）と、粘着層と、剥離層と、を有する。
感熱層は、所定の熱エネルギーを印加したときに、化学変化により所定の色に発色する発色材料などにより形成されている。粘着層は、感熱層の一方面に、粘着剤などを塗布することで形成されている。剥離層は、感熱層の他方面に、合成樹脂などの剥離剤などを塗布することで形成されている。台紙レスラベル用紙は、剥離層を介して所定の熱エネルギーを感熱層に印加した場合であっても、感熱層が発色するように構成されている。
【００１９】
本発明の実施形態に係るラベルプリンタは、ラベルロール２から台紙レスラベル用紙１を繰り出し、プラテンローラ４とサーマルヘッド３（印字部１７）を有する印字部で、台紙レスラベル用紙の印字面に所定の印字を施して、切断手段１９としてのカッタ５などにより枚葉状のラベル６を発行する。カッタ５は可動刃５ａ、固定刃５ｂなどを有する
【００２０】
詳細には、ラベルプリンタは、台紙レスラベル用紙１を、ローラ７１，７２で挟持するとともに、ローラ７１，７２の下流側に配置されたプラテンローラ４とサーマルヘッド３（印字部１７）で挟持し、ステッピングモータなどの回転駆動手段によりプラテンローラ４を回転駆動することにより、プラテンローラ４およびローラ７２を回転させて、台紙レスラベル用紙１を紙送り方向に搬送し、サーマルヘッド３（印字部１７）を加熱して、台紙レスラベル用紙１の印字面に印字を施すように構成されている。
印字後、カッタ５により台紙レスラベル用紙１が切断される。
切断後、ローラ７２、プラテンローラ４を逆回転させて、台紙レスラベル用紙を逆搬送し、台紙レスラベル用紙の切断端部をサーマルヘッド３の発熱帯近傍まで戻し、その状態で、次の印字時まで待機する。
【００２１】
ラベルプリンタの筐体（不図示）には、ラベル６が排出されるラベル発行口としての排出口２３が設けられている。排出口２３の近傍に、ラベル検出部２１が設けられている。ラベル検出部２１は、ラベル６を排出する排出口２３に、印字されたラベル６が残っているか否かを検出する。
ラベルプリンタは、排出口２３の紙送り方向の下流側に、ラベルレシーバ２４（ラベル保持部）を備えてもよい。
ラベルは、固定長ラベルであってもよいし、印字データ量に応じた長さの可変長ラベルであってもよい。
【００２２】
また、本実施形態では、ロール状に巻回された台紙レスラベル用紙１であるラベルロール２は、台紙レスラベル用紙１に対応する個体識別情報を記憶する媒体２０１（記憶媒体）を備える。媒体２０１は、例えば、無線ＩＣタグなどである。詳細には、媒体２０１は、記憶部などを有するＩＣチップ、無線アンテナなどを有し、無線通信機能を有する。尚、媒体２０１は、個体識別情報などを示すコードを印字したバーコードや２次元コードなどであってもよい。
ラベルプリンタは、媒体２０１から非接触で個体識別情報を読み取る読取部２５を有する。ラベルプリンタは、読取部２５により読み取った個体識別情報に基づいて、ロール状の台紙レスラベル用紙１を識別することができる。
【００２３】
図２は本発明の実施形態に係るラベルプリンタの電気的な構成の一例を示す図である。
本発明の実施形態に係るレスラベルプリンタは、制御手段としての制御部１０（ＣＰＵ）、記憶部としてのフラッシュメモリ１１とＲＡＭ１２、操作部１３、表示部１４、通信部１５、インタフェース１６、印字部１７としてのサーマルヘッド３、ステッピングモータなどの回転駆動部１８（回転駆動手段）、切断手段１９としてのカッタ５、ラベル検出部２１、および、読取部２５などを有する。
伝送路２０（バス）により、制御部１０（ＣＰＵ）、フラッシュメモリ１１、ＲＡＭ１２、操作部１３、表示部１４、通信部１５、ラベル検出部２１、および、インタフェース１６がデータ伝送可能に接続されている。
印字部１７としてのサーマルヘッド３、回転駆動部１８、切断手段１９としてのカッタ５、および、読取部２５は、インタフェース１６に電気的に接続されている。
【００２４】
制御部１０は、フラッシュメモリ１１上の制御プログラムなどのプログラムを実行して、ラベルプリンタの動作を統括的に制御する。フラッシュメモリ１１は、ラベルプリンタの制御プログラム、制御用データ等を記憶する読み出し専用メモリである。
【００２５】
ＲＡＭ１２は、サーマルヘッドの清掃を行うための印字パターン（清掃パターン）を記憶する。この印字パターン（清掃パターン）は、用紙の送り方向と直交する用紙の幅方向の略中心から両端部にかけて、用紙の送り方向を基準とした斜め方向に延在する発色領域と非発色領域とを有する。
また、ＲＡＭ１２は、一時的にデータを呼び出して（読み出して）処理するためのワークエリアを有する。ＲＡＭ１２のワークエリアは、印字データをドットデータに展開するドット展開エリア、フォーマットファイルから１つのフォーマットデータを呼び出して記憶する呼出フォーマットエリア、商品データを呼び出して記憶する呼出商品データエリア、などを有する。
また、ＲＡＭ１２には、ラベル印字のフォーマットが定義されたフォーマットファイル、ラベル印字用の各種商品データが定義された商品ファイル、フォントファイル（キャラクタジェネレータ）などが記憶されている。ＲＡＭ１２は、電源オフ時であっても、商品ファイル、書式ファイルなどを保持することができるように、バッテリでバックアップされている。
また、ＲＡＭ１２は、ラベルへの印字内容を示す印字データ、少なくとも印字位置を規定する印字フォーマット、ラベル長、などを関連付けて記憶している。
また、台紙レスラベルプリンタの各種モード（例えば、値付モード、設定モード、レポートモード、メンテナンスモードなど）に関する各種プログラムはＲＡＭ１２に記憶されている。
本発明の実施形態では、印字パターン（清掃パターン）は、用紙の送り方向と直交する用紙の幅方向の略中心から両端部にかけて、用紙の送り方向を基準とした斜め方向に延在する発色領域と非発色領域を有する。比較例として、例えば、用紙の送り方向と直交する用紙の幅方向に発色領域を設け、その発色領域を用紙の送り方向に所定の距離連続する印字パターン（ベタ印字による清掃パターン）でもサーマルヘッドを清掃する効果は得られるが、この印字パターン（ベタ印字による清掃パターン）を用いて印字を行うと、サーマルヘッド３の清掃時、サーマルヘッド３の発熱帯３ａの熱負荷の許容範囲を超えてサーマルヘッド３を加熱する（許容範囲を超えてサーマルヘッドに蓄熱させてしまう）ことになるため、ヘッド切れを生じさせてしまう可能性が高い。そのため、比較例としての前記印字パターン（ベタ印字による清掃パターン）は、サーマルヘッドの清掃には不向きである。
【００２６】
操作部１３は、ラベルプリンタの操作を行うための入力装置であり、表示部１４と一体に構成されたタッチパネルを有する。この操作部１３は、ユーザの識別情報を設定する設定手段としても機能する。
表示部１４は、各種のメニュー画面やデータを表示する液晶ディスプレイである。
通信部１５は、上位管理装置としてのホストコンピュータなどと通信を行う。
インタフェース１６は、制御部１０等と各駆動部やモータ等との間でデータの入出力を行う。
印字部１７としてのサーマルヘッド３は、制御部１０の制御により台紙レスラベル用紙１を加熱することで印字を行う。
ステッピングモータなどの回転駆動部１８は、制御部１０の制御により、所定の印字位置、もしくは加熱位置へ台紙レスラベル用紙１が搬送されるよう、ラベルロール２や、プラテンローラ４を回転駆動する。
切断手段１９は、制御部１０の制御に基づいて、印字後の台紙レスラベル用紙１をカットする。
ラベル検出部２１は、ラベルプリンタの筐体の排出口の近傍に設けられている。このラベル検出部２１は、ラベル６を排出する排出口に、印字されたラベル６が残っているか否かを検出する。
読取部２５は、台紙レスラベル用紙に設けられた媒体から個体識別情報を読み取る。
【００２７】
制御部１０は、印字部で台紙レスラベル用紙の印字面に所定の印字を施す場合に回転駆動部１８によりプラテンローラを第１の回転速度で回転駆動させる。
また、制御部１０は、回転駆動部１８により第１の回転速度よりも遅い第２の回転速度でプラテンローラを回転駆動させて台紙レスラベル用紙を繰り出す場合に、サーマルヘッドの清掃を行うための清掃パターンを台紙レスラベル用紙に印字部により印字させる。
プラテンローラの回転速度を遅くすることで、サーマルヘッドが台紙レスラベルを介してプラテンローラを押圧する面積が大きくなり（ニップ幅が大きくなり）、サーマルヘッドに付着した糊などを、台紙レスラベルに付着させ易くなり、高効率でサーマルヘッドの糊を清掃することができる。
【００２８】
また、制御部１０は、サーマルヘッドからの加熱により形成される発色領域と、サーマルヘッドを非加熱状態として形成される非発色領域と、を該台紙レスラベル用紙の繰り出し方向に所定の間隔で繰り返し配置された前記清掃パターンを前記印字部により印字させる。
【００２９】
また、制御部１０は、台紙レスラベル用紙の繰り出し方向に対して直交する所定幅内に、印字比率６０％以上７０％以下の清掃パターンを印字部により印字を行う。
【００３０】
制御部１０によるサーマルヘッド清掃手段は、フラッシュメモリ１１やＲＡＭ１２などの記憶手段に記憶された印字パターン（清掃パターン）を読み出し、その印字パターン（清掃パターン）を印字部により台紙レスラベル用紙に印字することで、サーマルヘッドの清掃を行う。つまり、制御部１０は、清掃モードの場合、清掃パターンを印字部により台紙レスラベル用紙に印字して、サーマルヘッドの清掃を行う。
【００３１】
図３は本発明の実施形態に係るラベルプリンタのサーマルヘッド等を説明するための図である。詳細には、図３（ａ）はサーマルヘッド３および台紙レスラベル用紙１の一例を示す側面図である。図３（ｂ）はサーマルヘッド３の一例を示す底面図である。
【００３２】
サーマルヘッド３に発熱帯３ａ（発熱体）が設けられている。詳細には、蓄熱体としてのグレーズに発熱帯３ａが設けられている。グレーズとしては、平面グレーズ、部分グレーズなどを採用することができる。
本実施形態では、図３（ａ）に示したように、印字部１７としてのサーマルヘッド３の発熱帯３ａは、下方に向かって凸形状に形成されている。
台紙レスラベル用紙１には、目視で確認し難い糊９１などが印字面に僅かに付着している。この状態で、台紙レスラベル用紙１を紙送り方向に搬送し、印字部１７としてのサーマルヘッド３の発熱帯３ａを加熱して印字を行うと、サーマルヘッド３に糊９１などが付着する場合がある（図３（ｂ））。
【００３３】
また、カッタによる台紙レスラベル用紙１の切断時、台紙レスラベル用紙１の粘着面の糊がカッタの刃により巻き上げられ、その糊９１が印字面の先端部（切断端面）に付着する場合がある（図３（ａ））。
この状態で、次の印字のために、台紙レスラベル用紙１をバックフィードさせ、台紙レスラベル用紙１の先端をサーマルヘッド３の発熱帯３ａまで移動させると、台紙レスラベル用紙１の印字面の先端部に付着している糊９１などが、サーマルヘッド３に付着してしまう場合がある（図３（ｂ））。
【００３４】
また、台紙レスラベル用紙１を紙送り方向へ搬送した後、逆方向に搬送することを繰り返した場合、糊９１がサーマルヘッド３に付着した状態でヘッド表面を移動する場合がある。
【００３５】
本発明の実施形態では、清掃モード時に、サーマルヘッド３の発熱帯３ａの熱負荷の許容範囲内で、サーマルヘッド３の発熱帯３ａを発熱させて、サーマルヘッド３に付着した糊９１の粘性を小さくした状態で、糊９１を台紙レスラベル用紙１に付着させることで、サーマルヘッド３から糊９１を除去する。具体的には、台紙レスラベル用紙に後述する清掃パターンを印字させる。
例えば、サーマルヘッド３の発熱帯３ａの熱負荷の許容範囲を超えるように、発熱帯３ａ（発熱体）を長時間加熱すると、サーマルヘッド３の発熱帯３ａの焼き切れなどの不具合が生じてしまう。
【００３６】
このため、本発明の実施形態では、清掃モード時に、サーマルヘッド３の発熱帯３ａの熱負荷の許容範囲内で、サーマルヘッド３の発熱帯３ａを短時間発熱状態とした後、短時間非加熱状態とし、この発熱状態と非加熱状態を所定回数だけ繰り返す。
【００３７】
また、本願発明者は、サーマルヘッド３の発熱帯３ａの全ての領域を同時に加熱せずに、サーマルヘッド３の発熱帯３ａを部分的に加熱させるとともに、台紙レスラベル用紙を移動させながら、サーマルヘッド３の発熱帯３ａの加熱部分をずらすことにより、サーマルヘッド３の熱負荷の許容範囲内で効率的に糊などの汚れを落とす（印字面の糊を刮ぎ落とす）ことができることを発見した。
【００３８】
図４はラベル用紙へ印字される清掃パターンの一例を示す図である。詳細には図４（ａ）は第１具体例の清掃パターン、図４（ｂ）は第２具体例の清掃パターンの一例を示す図である。
【００３９】
詳細には、図４（ａ），図４（ｂ）に示したように、サーマルヘッドからの加熱により形成される発色領域１ｂと、サーマルヘッドを非加熱状態として形成される非発色領域１ｃとを台紙レスラベル用紙１の紙送り方向（繰り出し方向）に所定の間隔で繰り返し配置された清掃パターンを印字部により印字させる。
【００４０】
本実施形態では、台紙レスラベル用紙１の繰り出し方向に対して直交する所定幅内に、印字比率６０％以上７０％以下の清掃パターンを印字部により印字を行う。
【００４１】
図４（ａ）に示した第１具体例の清掃パターンは、紙送り方向（繰り出し方向）に対して、連続的に斜めに発色領域１ｂと非発色領域１ｃとが形成されている。
図４（ｂ）に示した第２具体例の清掃パターンは、紙送り方向（繰り出し方向）に対して、階段状に斜めに発色領域１ｂと非発色領域１ｃとが形成されている。
また、本実施形態では、台紙レスラベル用紙１の幅方向の中心から紙送り方向（繰り出し方向）に対して反対方向に斜めに発色領域１ｂが形成されている。
【００４２】
次に、図４（ａ）に示した清掃パターンによりサーマルヘッドを清掃する動作の一例を説明する。
図５はサーマルヘッドの清掃動作の一例を示す図である。図５において、サーマルヘッド３の発熱帯３ａよりも紙送り方向の下流側には、まだ発色領域１ｂが形成されていないが、簡単な説明のため発色領域１ｂを記載している。
【００４３】
サーマルヘッド３の発熱帯３ａ（発熱体）を加熱することにより、サーマルヘッド３に付着している糊９１の粘性が低下し、その糊９１が台紙レスラベル用紙１に付着し、サーマルヘッド３から刮げ落とされる。
【００４４】
また、サーマルヘッド３の加熱および非加熱を繰り返すことにより、サーマルヘッド３に付着している糊９１が熱膨張および収縮を繰り返し、サーマルヘッド３から剥がれ易くなるとともに、その糊９１が台紙レスラベル用紙１に付着しやすくなる。
また、加熱された糊９１は発色領域１ｂから非発色領域１ｃへと移動し易い性質を有する。このため、台紙レスラベル用紙１に、発色領域１ｂと非発色領域１ｃを繰り返す清掃パターンを印字することで、糊９１が台紙レスラベル用紙１の発色領域１ｂと非発色領域１ｃ、特に非発色領域１ｃに付着しやすくなる。
【００４５】
また、図５に示したように、台紙レスラベル用紙１の幅方向の中心から紙送り方向（繰り出し方向）に対して反対方向に斜めに発色領域１ｂを形成することで、サーマルヘッド３の発熱帯３ａ（発熱体）の発熱部分が、サーマルヘッド３の中心から外側に向かって移動することになり、サーマルヘッド３に付着した糊９１が、サーマルヘッド３の中心から外側に向かって移動することで、サーマルヘッド３に付着している糊９１を剥がれ易くしている。
【００４６】
また、発色領域１ｂの紙送り方向（繰り出し方向）の長さは、発熱帯３ａの各部分において、熱負荷の許容範囲内となるように設定されている。
具体的には、発色領域１ｂの紙送り方向（繰り出し方向）の長さは、例えば、３ｍｍ〜１０ｍｍ程度である。
また、発色領域１ｂの紙送り方向（繰り出し方向）を基準とした斜め方向の角度は、糊９１の剥がれ易さに応じて適宜設定される。
詳細には、この発色領域１ｂの紙送り方向（繰り出し方向）を基準とした斜め方向の角度は、例えば、３０°以上、７０°以下であり、特に好ましくは、４０°以上５０°以下である。
また、本実施形態では、清掃パターンの発色領域１ｂは、台紙レスラベル用紙１の幅方向の中央から両端部にかけて、紙送り方向（繰り出し方向）を基準とした斜め方向に延在するパターンとなるように形成されている。
【００４７】
次に、ラベルプリンタの動作の一例を、上記図面や図６などを参照しながら説明する。
図６は本発明の実施形態に係るラベルプリンタの動作の一例を示すフローチャートである。
【００４８】
ステップＳ１１において、制御部１０は、読取部２５により、ロール状に巻回された台紙レスラベル用紙１（ラベルロール２）に設けられた、台紙レスラベル用紙１の個体識別情報を記憶する媒体２０１から非接触で個体識別情報を読み取る。
【００４９】
ステップＳ１２において、制御部１０は、読取部２５で読み取られた台紙レスラベル用紙の個体識別情報が既に読み取られている個体識別情報か否かを判別する。一致している場合、ステップＳ１３の処理に進み、一致していない場合、ステップＳ１８の処理に進む。
【００５０】
ステップＳ１３において、制御部１０は、清掃モードか否かを判別する。詳細には、制御部１０は、例えば、操作部１３から清掃モードの設定を示す信号が入力された場合、清掃ボタン（不図示）などが押下された場合などに、清掃モードであると判別する。清掃モードの場合、ステップＳ１８の処理に進み、それ以外の場合、ステップＳ１４の処理に進む。
【００５１】
ステップＳ１４において、制御部１０は、回転駆動部１８により、プラテンローラ４を通常回転速度（第１の回転速度）で回転させて、台紙レスラベル用紙を紙送り方向（繰り出し方向）に繰り出すとともに、印字データに応じてサーマルヘッド３の発熱帯３ａを加熱して、通常印字処理（ステップＳ１５）を行う。
【００５２】
ステップＳ１６において、制御部１０は、印字後、カッタ５により台紙レスラベル用紙１を切断する処理を行う。
【００５３】
ステップＳ１７において、制御部１０は、次の印字のために、回転駆動部１８により、プラテンローラ４およびローラ７２を逆回転させて、台紙レスラベル用紙を紙送り方向（繰り出し方向）に対して反対方向に移動させ（バックフィード）、台紙レスラベル用紙１の先端（切断端面）をサーマルヘッド３の発熱帯３ａ付近まで移動させ、その状態で待機し、ステップＳ１１の処理に進む。
【００５４】
ステップＳ１８において、制御部１０は、清掃モード時や、読取部２５で読み取られた個体識別情報が記憶部に記憶されていない場合に、回転駆動部１８により第１の回転速度よりも遅い第２の回転速度でプラテンローラ４を回転駆動させて、台紙レスラベル用紙１を繰り出し、清掃パターンを台紙レスラベル用紙に印字部により印字させる処理を行う（ステップＳ１９）。そして、ステップＳ１６の処理に進む。尚、読取部２５で読み取られた個体識別情報が記憶部に記憶されていない場合には、制御部１０は、読取部２５により読み取った個体識別情報を記憶部に記憶する。
【００５５】
以上、説明したように、本発明の実施形態に係るプリンタ（ラベルプリンタ）は、印字面を有する用紙（台紙レスラベル用紙１や台紙付きラベル用紙）を繰り出し、プラテンローラ４とサーマルヘッド３を有する印字部１７で、用紙の印字面に所定の印字を施し、枚葉状の用紙（ラベル）を発行する。このプリンタは、用紙の送り方向と直交する用紙の幅方向の略中心から両端部にかけて、用紙の送り方向を基準とした斜め方向に延在する発色領域と非発色領域とを有する印字パターンを記憶する記憶手段（フラッシュメモリ１１やＲＡＭ１２など）と、記憶手段に記憶された印字パターン（清掃パターン）を読み出し、その印字パターン（清掃パターン）をサーマルヘッド３により用紙に印字することで、サーマルヘッド３の清掃を行うサーマルヘッド清掃手段としての制御部１０を有する。
また、本発明に係るプリンタ（ラベルプリンタ）は、発行された枚葉状の用紙の枚数が所定枚数以上、あるいは、印字部１７で印字されて繰り出された（送り出された）用紙の走行距離が所定の距離以上である場合、サーマルヘッド清掃手段を実行する制御手段（制御部１０）を有する。
この制御部１０は、印字部１７で用紙の印字面に所定の印字を施す場合に回転駆動部１８によりプラテンローラ４を第１の回転速度で回転駆動させる。
また、制御部１０は、印字部１７のサーマルヘッドを清掃する場合に、回転駆動部１８（回転駆動手段）により第１の回転速度よりも遅い第２の回転速度で前記プラテンローラを回転駆動させて用紙を繰り出すとともに、前記印字を施す制御、詳細には、サーマルヘッド３の清掃を行うための印字パターン（清掃パターン）を用紙に印字部１７により印字させる。
【００５６】
このため、オペレータや清掃用具などに頼ることなく、簡単な構成で、サーマルヘッドを容易に清掃することができるラベルプリンタを提供することができる。
詳細には、プラテンローラ４を通常の回転速度よりも遅い回転速度（第２の回転速度）で回転させて、台紙レスラベル用紙１を繰り出して、印字部で清掃パターン（クリーニングパターン）を印字させるので、サーマルヘッド３の温度を効率よく上昇（蓄熱）させることができる。このため、短時間で、且つ、ラベル用紙の印字距離を短く（使用するラベルの長さが短く）てすむ。
【００５７】
また、サーマルヘッド３の清掃時、サーマルヘッド３の発熱帯３ａの熱負荷の許容範囲内で、サーマルヘッド３を加熱するので、ヘッド切れを防止することができ、ヘッド寿命の著しい低下を防止することができる。
【００５８】
また、清掃モード時に、プラテンローラ４の回転速度を通常の印字時よりも遅い回転速度とすることで、サーマルヘッド３に付着した糊カスを高効率で除去することができる。詳細には、サーマルヘッド３の清掃を行う時、通常の印字速度より遅い回転速度でプラテンローラ４を回転させることで、サーマルヘッド３が台紙レスラベル用紙１を介して押圧するプラテンローラ４の押圧面を比較的大きくし（プラテンローラの長手方向と直交する接触幅が広くし）、短時間でサーマルヘッド３を蓄熱させることができ、サーマルヘッド３の温度を早く上昇させることができる。
このため、サーマルヘッド３にかかる熱負荷を少なくすることができ、かつ、高効率でサーマルヘッド３の汚れを除去することができる。
【００５９】
本発明の実施形態では、台紙レスラベル用紙は、印字面に熱により発色する発色材料を有する。
制御手段としての制御部１０は、サーマルヘッドか３らの加熱により形成される発色領域１ｂと、サーマルヘッドを非加熱状態として形成される非発色領域１ｃと、を台紙レスラベル用紙の紙送り方向（繰り出し方向）に所定の間隔で繰り返し配置された清掃パターンを、印字部１７により印字させる。
このように発色領域１ｂと非発色領域１ｃを繰り返し配置した清掃パターンを、印字部１７により印字させることで、サーマルヘッド３にかかる熱負荷を少なくすることができ、かつ、高効率でサーマルヘッド３の汚れを除去することができる。
【００６０】
また、本実施形態では、制御部１０は、台紙レスラベル用紙１の繰り出し方向に対して直交する所定幅内に、印字比率６０％以上７０％以下の清掃パターンを印字部１７により印字を行うので、サーマルヘッド３にかかる熱負荷を少なくすることができ、かつ、高効率でサーマルヘッド３の汚れを除去することができる。
【００６１】
また、本実施形態では、制御部１０は、清掃モードの場合、清掃パターンを印字部１７により台紙レスラベル用紙に印字して、サーマルヘッド３の清掃を行う。このため、ユーザが手動で清掃モードに設定した場合や、ラベルロール交換時などに、清掃モードに設定され、サーマルヘッド３の清掃を行うことができる。
具体的には、清掃モード時に、ラベルフィードボタンが押されることにより、清掃パターンを所定の長さ印字部で印字し清掃の動作を行う。
【００６２】
また、本実施形態では、用紙は、ロール状に巻回された台紙レスラベル用紙または台紙付きラベル用紙などのラベルロールであり、その用紙に対応する個体識別情報を記憶する媒体を備る。ラベルプリンタは、媒体から非接触で個体識別情報を読み取る読取部２５を有する。
ラベルロール交換時など、制御部１０は、読取部２５で読み取られた個体識別情報が記憶部に記憶されていない場合、あるいは、記憶部に記憶されている個体識別情報と読取部２５で読み取られた個体識別情報とが異なっている場合、サーマルヘッド清掃手段を実行する。詳細には、制御部１０は、台紙レスラベル用紙を通常回転速度（第１の回転速度）よりも遅い第２の回転速度で繰り出し、清掃パターンを印字部１７により印字するとともに、該個体識別情報を記憶部（ＲＡＭ１２など）に記憶する。
このため、ラベルロールに設けられた媒体を読取部により読み取ることにより、簡単にラベルロールの交換を検出することができ、ラベルロールの交換時に、自動的に清掃モードに設定され、サーマルヘッド３の清掃を行うことができる。
【００６３】
また、清掃モードの実行時、制御部１０は、ラベルプリンタの表示部に清掃モードに切り替わった旨が報知した後、オペレータにラベルフィードボタンを押すように指示するメッセージが表示される。また、ラベルプリンタは、清掃モードの処理を終了したことを条件として、通常のラベル発行処理を実行するように構成されている。こうすることで、清掃モード時の途中で、通常の印字を行うことを防止することができる。
【００６４】
清掃モードの終了（所定の長さ、例えば、２０ｃｍ程度印字）時、清掃モードを終了した旨を報知した後、通常印字モードに切り替わる。この通常印字モードでは、制御部は、通常の印字時にプラテンローラを回転させる速度になるようにプラテンローラを回転させる駆動部を制御する。
このように、ラベルロールの交換がなされると自動的に清掃モードとなり、サーマルヘッドの清掃が行われるので、人為的でないため確実に清掃を行うことができる。また、ラベルロールを交換する毎にサーマルヘッドの清掃が行われるので、サーマルヘッドを汚れていない状態に保つことができるため常に印字が良好であり、サーマルヘッドをきれいな状態に保つことによりサーマルヘッドの寿命を本来の寿命期間で使用することができるという効果を奏する。
【００６５】
尚、ラベル交換時に清掃モードを実行させるようにしているが、ラベル印字した走行距離をＩＣタグに記憶させ、ラベルニアエンドになったら、清掃モードを実行させるようにしてもよい。しかしながら、必要枚数のラベル発行でラベルロールの残りの距離が少ない場合は、ラベルニアエンドで清掃モードを実行することなく、ラベル交換後に発行し残したラベルが発行された後に清掃モードを実行させるようにしてもよい。
【００６６】
また、本発明の実施形態に係るプリンタのサーマルヘッドの清掃方法は、印字面を有する用紙を繰り出し、プラテンローラ４とサーマルヘッド３を有する印字部１７で、用紙の印字面に所定の印字を施し、枚葉状の用紙を発行するプリンタのサーマルヘッドの清掃方法であって、用紙の送り方向と直交する用紙の幅方向の略中心から両端部にかけて、用紙の送り方向を基準とした斜め方向に延在する発色領域と非発色領域とを有する印字パターンを記憶手段に記憶する記憶ステップと、記憶手段に記憶された印字パターンを読み出し、印字部１７で印字することによりサーマルヘッド３の清掃を行うサーマルヘッド清掃ステップと、を有する。
また、上記プリンタのサーマルヘッド３の清掃方法は、印字部１７で用紙の印字面に所定の印字を施す場合にプラテンローラ４を第１の回転速度で回転駆動させ、サーマルヘッド清掃手段で印字を行う場合に第１の回転速度よりも遅い第２の回転速度で前記プラテンローラ４を回転駆動させて前記印字を施す制御を行う制御ステップと、を有する。
このため、ラベルプリンタのサーマルヘッドを簡単に高効率で清掃することができる。
【００６７】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６８】
尚、清掃パターンは、上記実施形態に限られるものではない。清掃パターンは、台紙レスラベル用紙の繰り出し方向（紙送り方向）に対して単純に斜め方向に形成されていてもよい。
また、清掃パターンにおける発色領域１ｂと非発色領域１ｃそれぞれの台紙レスラベル用紙の繰り出し方向に沿った長さは、サーマルヘッドの熱負荷の許容範囲内で、適宜設定することができる。
【００６９】
本実施形態において、説明した装置はラベルプリンタを用いて説明をしたがこれに限らず、例えば、ＰＯＳレジスタにおけるレシートプリンタや、券売機において食券などを印字し発券するプリンタなどにも適応させてもよい。
【符号の説明】
【００７０】
１…台紙レスラベル用紙（ラベル用紙）、１ｂ…発色領域、１ｃ…非発色領域、２…ラベルロール、３…サーマルヘッド、４…プラテンローラ、５…カッタ（切断手段）、６…ラベル、１０…制御部（制御手段）、１１…フラッシュメモリ（記憶手段、記憶部）、１２…ＲＡＭ（記憶手段、記憶部）、１７…印字部、１８…回転駆動部（回転駆動手段）、１９…切断手段、２５…読取部、９１…糊。
【図１】
0006281627.tif 000002
【図２】
0006281627.tif 000003
【図３】
0006281627.tif 000004
【図４】
0006281627.tif 000005
【図５】
0006281627.tif 000006
【図６】
0006281627.tif 000007